(57)【要約】【課題】信号端子とグランド端子とにより構成される高周波信号の伝送線路における反射、減衰、共振、放射等の損失の発生を防止することができ、幅方向及び厚さ方向の寸法を増加させることなく多数本の同軸ケーブルを相手方の基板に接続することができ、構成が簡素でコストが低く、小型でありながら、信号の多極化に適切に対応することができ、耐久性を向上させ、信頼性を高めることができるようにする。【解決手段】信号端子は、半円筒状部において信号ラインに接続される信号テール部と、舌状部において相手方コネクタの相手方信号端子と接触する信号接触部とを備え、グランド端子は、円筒状部において接地ラインに接続されるグランドテール部と、半円筒状部において信号テール部の上方を覆うグランド本体部と、舌状部において相手方コネクタの相手方グランド端子と接触するグランド接触部とを備える。【選択図】図１
2010092677.tif 000002
【特許請求の範囲】
【請求項１】
（ａ）同軸ケーブル（９１）の信号ライン（９２）に接続される信号端子（５１）、及び、前記同軸ケーブル（９１）の接地ライン（９４）に接続されるグランド端子（７１）を備え、高周波信号を伝送する端子ユニット（５０）を有する同軸コネクタ（１）であって、
（ｂ）前記端子ユニット（５０）は、円筒状部（５０ａ）と、該円筒状部（５０ａ）の前方に配設された半円筒状部（５０ｂ）と、該半円筒状部（５０ｂ）の前方に配設された舌状部（５０ｃ）とを備え、
（ｃ）前記信号端子（５１）は、前記半円筒状部（５０ｂ）において前記信号ライン（９２）に接続される信号テール部（５３）と、前記舌状部（５０ｃ）において前記相手方コネクタ（１０１）の相手方信号端子（１６１）と接触する信号接触部（５２）とを備え、
（ｄ）前記グランド端子（７１）は、前記円筒状部（５０ａ）において前記接地ライン（９４）に接続されるグランドテール部（７４）と、前記半円筒状部（５０ｂ）において前記信号テール部（５３）の上方を覆うグランド本体部（７３）と、前記舌状部（５０ｃ）において前記相手方コネクタ（１０１）の相手方グランド端子（１６１）と接触するグランド接触部（７２）とを備えることを特徴とする同軸コネクタ（１）。
【請求項２】
前記信号テール部（５３）は平板状であり、前記信号接触部（５２）は相手方信号端子（１６１）と接触する平板状の接触面部（５２ａ）を備え、
前記グランド本体部（７３）は前記信号テール部（５３）の上方を覆う半円筒部（７３ａ）を備え、前記グランド接触部（７２）は相手方グランド端子（１６１）と接触する平板状の接触面部（７２ａ）を備え、
前記信号接触部（５２）の接触面部（５２ａ）とグランド接触部（７２）の接触面部（７２ａ）とは、面一であり、かつ、等間隔で互いに平行に端子ユニット（５０）の軸方向に延在する請求項１に記載の同軸コネクタ（１）。
【請求項３】
前記信号端子（５１）は信号テール部（５３）と信号接触部（５２）とを連結する信号連結部（５５）を備え、
前記グランド端子（７１）はグランドテール部（７４）とグランド接触部（７２）とを連結するグランド連結部（７５）を備え、
前記信号テール部（５３）とグランドテール部（７４）との距離は、前記信号連結部（５５）とグランド連結部（７５）との距離、及び、信号接触部（５２）とグランド接触部（７２）との距離と等しい請求項１又は２に記載の同軸コネクタ（１）。
【請求項４】
前記円筒状部（５０ａ）及び半円筒状部（５０ｂ）の外径並びに舌状部（５０ｃ）の幅は、前記同軸ケーブル（９１）の外径にほぼ等しい請求項１〜３のいずれか１項に記載の同軸コネクタ（１）。
【請求項５】
前記舌状部（５０ｃ）の厚さは前記同軸ケーブル（９１）の半径以下である請求項１〜４のいずれか１項に記載の同軸コネクタ（１）。
【請求項６】
（ａ）同軸ケーブル（９１）の信号ライン（９２）に接続される信号端子（５１）、及び、前記同軸ケーブル（９１）の接地ライン（９４）に接続されるグランド端子（７１）を備え、高周波信号を伝送する端子ユニット（５０）と、
（ｂ）該端子ユニット（５０）を支持する端子支持部材（１７）を備え、相手方コネクタ（１０１）の相手方ハウジング（１１１）と嵌合するハウジング（１１）とを有する同軸多極コネクタ（１）であって、
（ｃ）前記端子ユニット（５０）は、円筒状部（５０ａ）と、該円筒状部（５０ａ）の前方に配設された半円筒状部（５０ｂ）と、該半円筒状部（５０ｂ）の前方に配設された舌状部（５０ｃ）とを備え、
（ｄ）前記信号端子（５１）は、前記半円筒状部（５０ｂ）において前記信号ライン（９２）に接続される信号テール部（５３）と、前記舌状部（５０ｃ）において前記相手方コネクタ（１０１）の相手方信号端子（１６１）と接触する信号接触部（５２）とを備え、
（ｅ）前記グランド端子（７１）は、前記円筒状部（５０ａ）において前記接地ライン（９４）に接続されるグランドテール部（７４）と、前記半円筒状部（５０ｂ）において前記信号テール部（５３）の上方を覆うグランド本体部（７３）と、前記舌状部（５０ｃ）において前記相手方コネクタ（１０１）の相手方グランド端子（１６１）と接触するグランド接触部（７２）とを備えることを特徴とする同軸多極コネクタ。
【請求項７】
前記半円筒状部（５０ｂ）の開放側が向かい合うよう配置された請求項６に記載の同軸多極コネクタ。
【発明の詳細な説明】
【技術分野】
【０００１】
本発明は、同軸コネクタ及び同軸多極コネクタに関するものである。
【背景技術】
【０００２】
従来、電気機器、電子機器等において、高周波信号を伝送する同軸ケーブルをプリント回路基板等の基板に接続する場合、同軸ケーブルの信号線に接続される信号端子と、該信号端子を取囲み、同軸ケーブルのシールドに接続されるシールド端子とを備え、基板に実装された同軸多極コネクタに、同軸ケーブルを接続するようになっている（例えば、特許文献１参照。）。
【０００３】
図６は従来の同軸多極コネクタのシールド端子を示す図である。
【０００４】
図において、８５１は同軸多極コネクタのシールド端子であり、下端が図示されない基板の表面から突出するグランドピンに接続され、上端が図示されない同軸ケーブルのシールドの端部に接続され、前記同軸ケーブルのシールドを前記基板のグランドラインに電気的に接続させる。また、空洞状の前記シールド端子８５１の中央には、基板の表面から突出する図示されない信号ピンが挿入され、同軸ケーブルの図示されない信号線に接続される。
【０００５】
ここで、前記シールド端子８５１は、同軸ケーブルのシールドの端部に接続される円筒部８５２と、該円筒部８５２の下端に一体的に接続された同軸の半円筒部８５３とを有する。そして、該半円筒部８５３は、半円の両端から外側に延出する一対のグランド接続部８５４と、該グランド接続部８５４の各々の下端から下方に延出するとともに、内側に向けてくの字状に屈曲するピン接触部８５５とを備える。また、前記円筒部８５２は、内側に向けて切起こされた一対のシールド接触部８５６を備える。
【０００６】
そして、前記基板の表面から突出するグランドピンを一対のピン接触部８５５が両側から挟込むことによって、前記シールド端子８５１は基板のグランドラインに接続される。一方、前記同軸ケーブルのシールドの端部を一対のシールド接触部８５６が両側から挟込むことによって、前記シールド端子８５１は同軸ケーブルのシールドに接続される。
【特許文献１】特公平８−２１４４６号公報
【発明の開示】
【発明が解決しようとする課題】
【０００７】
しかしながら、前記従来の同軸多極コネクタにおいては、信号ピンと該信号ピンを取囲むシールド端子８５１とによって構成される高周波信号の伝送線路の構造が、同軸ケーブルのシールドとシールド接触部８５６との接触箇所からグランドピンとピン接触部８５５との接触箇所との間において急激に変化するので、伝送線路の構造に依存する伝送線路の伝送モードが急激に変化し、周波数帯域によっては、反射、減衰、共振、放射等の損失が発生し、高周波信号の伝送特性が低下してしまう。
【０００８】
また、同軸ケーブルによって伝送する信号のチャンネル数の増加により、同軸多極コネクタの本数並びに基板の表面から突出する信号ピン及びグランドピンの本数が増加した場合、コネクタ全体の寸法が増加してしまう。そのため、基板が実装されている電子機器等の寸法に余裕がなく、コネクタの幅方向の寸法に制限がある場合、伝送する信号のマルチチャンネル化、すなわち、多極化の要求に十分に対応することができなかった。
【０００９】
本発明は、前記従来の問題点を解決して、同軸ケーブルの端から露出する信号ラインの半周を取囲む半円筒接地部と、前記信号ラインに接続された平板状の信号線及び前記半円筒グランド部に接続された平板状の接地線が平行に上面に配設された帯状の中継基板とを軸方向に直列に配設することによって、信号端子とグランド端子とにより構成される高周波信号の伝送線路における反射、減衰、共振、放射等の損失の発生を防止することができ、幅方向及び厚さ方向の寸法を増加させることなく多数本の同軸ケーブルを相手方の基板に接続することができ、構成が簡素でコストが低く、小型でありながら、信号の多極化に適切に対応することができ、耐久性が高く、信頼性の高い同軸コネクタ及び同軸多極コネクタを提供することを目的とする。
【課題を解決するための手段】
【００１０】
そのために、本発明の同軸コネクタにおいては、同軸ケーブルの信号ラインに接続される信号端子、及び、前記同軸ケーブルの接地ラインに接続されるグランド端子を備え、高周波信号を伝送する端子ユニットを有する同軸コネクタであって、前記端子ユニットは、円筒状部と、該円筒状部の前方に配設された半円筒状部と、該半円筒状部の前方に配設された舌状部とを備え、前記信号端子は、前記半円筒状部において前記信号ラインに接続される信号テール部と、前記舌状部において前記相手方コネクタの相手方信号端子と接触する信号接触部とを備え、前記グランド端子は、前記円筒状部において前記接地ラインに接続されるグランドテール部と、前記半円筒状部において前記信号テール部の上方を覆うグランド本体部と、前記舌状部において前記相手方コネクタの相手方グランド端子と接触するグランド接触部とを備える。
【００１１】
本発明の他の同軸コネクタにおいては、さらに、前記信号テール部は平板状であり、前記信号接触部は相手方信号端子と接触する平板状の接触面部を備え、前記グランド本体部は前記信号テール部の上方を覆う半円筒部を備え、前記グランド接触部は相手方グランド端子と接触する平板状の接触面部を備え、前記信号接触部の接触面部とグランド接触部の接触面部とは、面一であり、かつ、等間隔で互いに平行に端子ユニットの軸方向に延在する。
【００１２】
本発明の更に他の同軸コネクタにおいては、さらに、前記信号端子は信号テール部と信号接触部とを連結する信号連結部を備え、前記グランド端子はグランドテール部とグランド接触部とを連結するグランド連結部を備え、前記信号テール部とグランドテール部との距離は、前記信号連結部とグランド連結部との距離、及び、信号接触部とグランド接触部との距離と等しい。
【００１３】
本発明の更に他の同軸コネクタにおいては、さらに、前記円筒状部及び半円筒状部の外径並びに舌状部の幅は、前記同軸ケーブルの外径にほぼ等しい。
【００１４】
本発明の更に他の同軸コネクタにおいては、さらに、前記舌状部の厚さは前記同軸ケーブルの半径以下である。
【００１５】
本発明の同軸多極コネクタにおいては、同軸ケーブルの信号ラインに接続される信号端子、及び、前記同軸ケーブルの接地ラインに接続されるグランド端子を備え、高周波信号を伝送する端子ユニットと、該端子ユニットを支持する端子支持部材を備え、相手方コネクタの相手方ハウジングと嵌（かん）合するハウジングとを有する同軸多極コネクタであって、前記端子ユニットは、円筒状部と、該円筒状部の前方に配設された半円筒状部と、該半円筒状部の前方に配設された舌状部とを備え、前記信号端子は、前記半円筒状部において前記信号ラインに接続される信号テール部と、前記舌状部において前記相手方コネクタの相手方信号端子と接触する信号接触部とを備え、前記グランド端子は、前記円筒状部において前記接地ラインに接続されるグランドテール部と、前記半円筒状部において前記信号テール部の上方を覆うグランド本体部と、前記舌状部において前記相手方コネクタの相手方グランド端子と接触するグランド接触部とを備える。
【００１６】
本発明の他の同軸多極コネクタにおいては、さらに、前記半円筒状部の開放側が向かい合うよう配置された。
【発明の効果】
【００１７】
本発明によれば、同軸コネクタは、同軸ケーブルの端から露出する信号ラインの半周を取囲む半円筒接地部と、前記信号ラインに接続された平板状の信号線及び前記半円筒グランド部に接続された平板状の接地線が平行に上面に配設された帯状の中継基板とが軸方向に直列に配設される。これにより、信号端子とグランド端子とによって構成される高周波信号の伝送線路における反射、減衰、共振、放射等の損失の発生を防止することができ、幅方向及び厚さ方向の寸法を増加させることなく多数本の同軸ケーブルを相手方の基板に接続することができ、構成が簡素でコストが低く、小型でありながら、信号の多極化に適切に対応することができ、耐久性を向上させ、信頼性を高めることができる。
【発明を実施するための最良の形態】
【００１８】
以下、本発明の実施の形態について図面を参照しながら詳細に説明する。
【００１９】
図１は本発明の実施の形態におけるケーブルコネクタの嵌合前の状態を示す斜視図、図２は本発明の実施の形態におけるケーブルコネクタを基板コネクタに嵌合した状態を示す断面図である。
【００２０】
図において、１は、本実施の形態における同軸コネクタの一例である同軸多極コネクタとしてのケーブルコネクタであり、ワイヤを構成する複数本のケーブル９１の先端に接続されるコネクタである。そして、前記ケーブルコネクタ１は、図２に示されるように、基板１９１の一側面（図２における右側面）に接続される相手方コネクタとしての基板コネクタ１０１と嵌合する。
【００２１】
前記基板１９１は、例えば、コンピュータ等の電子機器、家庭電化製品等の電気機器等に使用されるプリント回路基板や、フレキシブル回路基板（ＦＰＣ：Ｆｌｅｘｉｂｌｅ  Ｐｒｉｎｔｅｄ  Ｃｉｒｃｕｉｔ）、フレキシブルフラットケーブル（ＦＦＣ：Ｆｌｅｘｉｂｌｅ  Ｆｌａｔ  Ｃａｂｌｅ）等と称される平板状ケーブルなどであり、いかなる種類のものであってもよい。
【００２２】
そして、前記基板１９１の面には、所定のピッチで基板１９１の幅方向（図２における図面に垂直な方向）に並んで配列された複数の図示されない接続電極が露出している。該接続電極の各々は、基板１９１の面に形成され、所定のピッチで基板１９１の幅方向に並んで配列された複数本の図示されない導電トレースの各々に接続されている。なお、前記接続電極及び導電トレースのピッチ及び数は適宜設定することができる。
【００２３】
また、前記ケーブル９１は、いかなる種類のケーブルであってもよいが、例えば、高周波信号を伝達するのに適した細径の同軸ケーブルであるものとする。後述されるように、前記ケーブル９１は、中心に配設された信号ラインとしての導電性の芯（しん）線９２、及び、該芯線９２の周囲を囲むように配設された金属製のメッシュ等から成る接地ラインとしての導電性のシールド部材９４を備える断面略円形の線状体である。そして、前記ケーブル９１は、ケーブルコネクタ１の幅方向に並んで、かつ、複数の列を形成するように配列される。なお、前記ケーブル９１のピッチ及び数は適宜設定することができるが、図に示される例において、ケーブル９１は、ケーブルコネクタ１の幅方向に並んで配列され、２つの列を形成する。
【００２４】
なお、本実施の形態において、ケーブルコネクタ１、基板コネクタ１０１及びその他の部材に含まれる各部の構成及び動作を説明するために使用される上、下、左、右、前、後等の方向を示す表現は、絶対的なものでなく相対的なものであり、ケーブルコネクタ１、基板コネクタ１０１及びその他の部材に含まれる各部が図に示される姿勢である場合に適切であるが、ケーブルコネクタ１、基板コネクタ１０１及びその他の部材に含まれる各部の姿勢が変化した場合には、姿勢の変化に応じて変更して解釈されるべきものである。
【００２５】
ここで、前記ケーブルコネクタ１は、合成樹脂等の絶縁性材料によって一体的に形成されたハウジングとしての第１ハウジング１１と、該第１ハウジング１１に配設された端子支持部材１７とを備える。該端子支持部材１７は、合成樹脂等の絶縁性材料によって一体的に形成された長方形の板状の部材であり、その表面及び裏面には、ケーブル９１の先端に接続された端子ユニット５０が取付けられる。図１に示されるように、端子支持部材１７の表面及び裏面には、複数の端子ユニット５０が端子支持部材１７の幅方向、すなわち、ケーブルコネクタ１の幅方向に並んで配列される。
【００２６】
また、前記第１ハウジング１１は、端子支持部材１７を内部に収容する端子収容開口部１３を備える。該端子収容開口部１３は、上下の天板部１２及び左右の側板部１４によって周囲を画定され、嵌合面側が開放された開口部である。そして、端子収容開口部１３内には、端子支持部材１７によって上下２つの部分に分割され、該２つの部分の各々に端子ユニット５０が収容される。なお、前記天板部１２の外面には、各端子ユニット５０の掛止片７３ｄを掛止するための掛止開口１１ａが形成されている。
【００２７】
各ケーブル９１の先端に接続された端子ユニット５０は、第１ハウジング１１の背面（嵌合面と反対側の面）側から、端子支持部材１７の上下両側の部分に挿入されて固定される。前記端子ユニット５０は、合成樹脂等の絶縁性材料によって一体的に形成された後述される中継基板３１と、該中継基板３１に固定されるとともにケーブル９１のシールド部材９４にはんだ付等によって接続される金属製のグランド端子７１とを有する。そして、前記中継基板３１の帯板状の舌部３２の上面には、前記ケーブル９１の芯線９２と接続された板状の信号接触部５２と、グランド端子７１の先端部分である板状のグランド接触部７２とが平行に配設されている。これにより、端子支持部材１７の上下両面上には、ケーブルコネクタ１の嵌合方向に延在する細長い板状の信号接触部５２とグランド接触部７２とが、互いに平行に交互に並んで複数本ずつ配列される。なお、前記端子支持部材１７の上下両面上における端子ユニット５０のピッチ及び数は適宜設定することができる。
【００２８】
一方、前記基板コネクタ１０１は、合成樹脂等の絶縁性材料によって形成された相手方ハウジングとしての第２ハウジング１１１と、導電性を備える金属によって形成され、第２ハウジング１１１に装填（てん）された複数の相手方端子１６１とを有する。
【００２９】
第２ハウジング１１１は、図２に示されるように、嵌合面側が開放された相手方開口部１１３を備え、基板コネクタ１０１とケーブルコネクタ１とが嵌合した状態で、端子支持部材１７の先端から所定範囲が前記相手方開口部１１３内に進入する。
【００３０】
そして、前記相手方端子１６１は、第２ハウジング１１１内部の上下内面に形成された複数の端子収容溝１１４に装填される。なお、該端子収容溝１１４は、相手方開口部１１３内にも延在する。また、前記相手方端子１６１は、後述される信号端子５１と接触する相手方信号端子及びグランド端子７１と接触する相手方グランド端子を含むものである。しかし、相手方信号端子及び相手方グランド端子は、同一の構造を備えるので、ここでは、識別することなく、相手方端子１６１として説明する。
【００３１】
相手方端子１６１は、端子収容溝１１４に取付けられる本体部１６２と、該本体部１６２から前方、すなわち、嵌合面の方向に向って延出するカンチレバー状の接触腕部１６３と、該接触腕部１６３の先端近傍において第２ハウジング１１１の厚さ方向（図２における上下方向）の中心に向けて突出する接触膨出部１６４と、前記本体部１６２から後方、すなわち、嵌合面と反対の方向に向って延出する部分の途中を屈曲することによって形成され、第２ハウジング１１１の厚さ方向外側に向けて突出する接触脚部１６５とを備える。なお、前記接触脚部１６５の少なくとも一部は、第２ハウジング１１１の後方において露出している。
【００３２】
そして、基板コネクタ１０１とケーブルコネクタ１とが嵌合した状態で、接触膨出部１６４は、端子支持部材１７の両面に配列された信号接触部５２及びグランド接触部７２に接触する。この場合、弾性を備える接触腕部１６３が板ばねとして機能するので、接触膨出部１６４は、接触腕部１６３が発揮する付勢力によって信号接触部５２及びグランド接触部７２の表面に付勢され、信号接触部５２及びグランド接触部７２との接触を確実に維持する。
【００３３】
また、基板１９１と基板コネクタ１０１とは、接触脚部１６５が基板１９１の両面に露出する図示されない接続電極に接触し、はんだ等の導電性固着手段によって固着される。
【００３４】
このように、基板１９１に結合された基板コネクタ１０１にケーブルコネクタ１が嵌合されると、各ケーブル９１に接続された端子ユニット５０の信号接触部５２及びグランド接触部７２が相手方端子１６１を介して、基板１９１の対応する接続電極に電気的に接続される。したがって、各ケーブル９１の信号ライン及び接地ラインは、基板１９１の対応する導電トレースに電気的に接続される。
【００３５】
なお、前記相手方端子１６１のピッチ及び数は、信号接触部５２及びグランド接触部７２のピッチ及び数、並びに、接続電極のピッチ及び数に適合するように、適宜設定することができる。
【００３６】
次に、前記端子ユニット５０の構成について詳細に説明する。
【００３７】
図３は本発明の実施の形態における端子ユニットと相手方端子との位置関係を示す斜視図、図４は本発明の実施の形態における端子ユニットの構成を示す四面図及び断面図、図５は本発明の実施の形態における端子ユニットの構成を示す斜視図及び分解図である。なお、図４において、（ａ）は上面図、（ｂ）は正面図、（ｃ）は背面図、（ｄ）は側面図、（ｅ）は（ａ）のＺ−Ｚ矢視断面図、（ｆ）は（ａ）のＹ−Ｙ矢視断面図、（ｇ）は（ａ）のＸ−Ｘ矢視断面図であり、図５において、（ａ）は斜視図、（ｂ）はグランド端子を取外した分解図、（ｃ）は中継基板の分解図、（ｄ）は中継基板の斜視図である。
【００３８】
本実施の形態においては、前述のように、各ケーブル９１の先端に端子ユニット５０が接続されている。前記ケーブル９１は、図５（ｂ）に示されるように、中心に配設された信号ラインとしての導電性の芯線９２、該芯線９２の周囲を覆う絶縁性の内側被覆９３、該内側被覆９３の周囲を覆うように配設された金属製のメッシュ等から成る接地ラインとしての導電性のシールド部材９４、及び、該シールド部材９４の周囲を覆う絶縁性の外側被覆９５を備える断面略円形の線状体である。そして、前記ケーブル９１の先端では、外側被覆９５、シールド部材９４及び内側被覆９３が順次除去され、シールド部材９４、内側被覆９３及び芯線９２が順次露出している。
【００３９】
また、前記端子ユニット５０は、合成樹脂等の絶縁性材料によって一体的に形成された細長い中継基板３１と、該中継基板３１に固定されるとともにケーブル９１のシールド部材９４にはんだ付等によって接続される金属製のグランド端子７１と、中継基板３１と一体成形によって結合される金属製の帯板状の信号端子５１とを有する。そして、前記端子ユニット５０は、軸方向に後方から前方に向って、円筒状部５０ａ、半円筒状部５０ｂ及び舌状部５０ｃに区分される。
【００４０】
前記中継基板３１は、図５（ｃ）に示されるように、半円筒状部５０ｂに位置する中央部３３と、該中央部３３から前方（図における左方）に延出し、舌状部５０ｃに位置する帯板状の舌部３２と、該舌部３２の先端に形成され、舌状部５０ｃに位置する先端部３７と、前記中央部３３から後方（図における右方）に延出し、半円筒状部５０ｂに位置するケーブル受部３４と、前記中央部３３とケーブル受部３４との接続部において上方に突出し、半円筒状部５０ｂに位置する位置決め突起３５とを備える。
【００４１】
そして、前記ケーブル受部３４の上面には、ケーブル９１において内側被覆９３が露出した部分を収容する被覆収容凹部３４ａが形成されている。また、前記位置決め突起３５には、露出した芯線９２が通過可能な溝部３５ａが形成されている。さらに、前記中央部３３の上面には、信号端子５１の信号テール部５３を収容するテール収容凹部３３ａが形成されている。また、該テール収容凹部３３ａの前端の上方には、テール収容凹部３３ａの両側の側壁を結ぶブリッジ３３ｂが形成され、図４（ｆ）に示されるように、テール収容凹部３３ａに収容された信号テール部５３の上方への変位を規制し、信号テール部５３がテール収容凹部３３ａから抜出ることを防止する。なお、図５（ｃ）においては、中継基板３１の構造の理解を容易にするために、信号端子５１と中継基板３１とが分解された状態が示されているが、信号端子５１は、例えば、樹脂によるオーバーモールド成形等の成形方法によって、図５（ｄ）に示されるように、中継基板３１と一体成形されるので、中継基板３１から取外し不可能な部材である。さらに、前記ケーブル受部３４及び中央部３３の両側の側面には、グランド端子７１を掛止するための掛止用突起３６が形成されている。
【００４２】
また、前記舌部３２の上面には、信号端子５１の信号接触部５２の接触面部５２ａが収容される信号接触部収容凹部３２ｃと、グランド端子７１のグランド接触部７２の接触面部７２ａが収容されるグランド接触部収容凹部３２ｂとが平行して形成されている。そして、前記信号接触部収容凹部３２ｃとグランド接触部収容凹部３２ｂとの間の部分は、ケーブル９１の軸方向、すなわち、端子ユニット５０の軸方向に延在する細長い線状の境界凸部３２ａとなっている。該境界凸部３２ａはほぼ一定の幅を備え、これにより、信号接触部５２とグランド接触部７２との間隔を一定に維持する。また、境界凸部３２ａの高さ、すなわち、信号接触部収容凹部３２ｃの上面及びグランド接触部収容凹部３２ｂの上面から境界凸部３２ａの上面までの寸法は、信号接触部５２の接触面部５２ａ及びグランド接触部７２の接触面部７２ａの厚さとほぼ等しく、これにより、信号端子５１及びグランド端子７１が中継基板３１に取付けられた状態で、境界凸部３２ａの上面は、図４（ｅ）に示されるように、信号接触部５２の接触面部５２ａ及びグランド接触部７２の接触面部７２ａと面一となる。
【００４３】
さらに、前記先端部３７の先端縁上端には、前下がりに傾斜する傾斜面３７ａが形成されている。該傾斜面３７ａは、相手方端子１６１の接触膨出部１６４をガイドするガイド面として機能し、ケーブルコネクタ１と基板コネクタ１０１とを嵌合する際に、前記接触膨出部１６４は、傾斜面３７ａに沿って相対的に移動することによって、スムーズに信号接触部５２の接触面部５２ａ及びグランド接触部７２の接触面部７２ａと接触することができる。なお、前記先端部３７とグランド接触部収容凹部３２ｂ及び信号接触部収容凹部３２ｃとの境界部分には、凹部３７ｂ及び３７ｃが形成されている。前記凹部３７ｂ及び３７ｃに、グランド接触部７２の先端部７２ｃ及び信号接触部５２の先端部５２ｃが収容されることによって、先端部３７の上面とグランド接触部７２の接触面部７２ａ及び信号接触部５２の接触面部５２ａとの間に段差が生じることが防止され、ケーブルコネクタ１と基板コネクタ１０１とを嵌合する際に、相手方端子１６１の接触膨出部１６４をスムーズにガイドすることができる。
【００４４】
また、前記グランド端子７１は、金属板に打抜き加工、曲げ加工等を施して一体的に成形された部材である。そして、前記半円筒状部５０ｂに位置し、中継基板３１の中央部３３及びケーブル受部３４の上面及び側面を覆うグランド本体部７３と、該グランド本体部７３から前方に延出し、舌状部５０ｃに位置する帯板状のグランド接触部７２と、前記グランド本体部７３から後方に延出し、円筒状部５０ａに位置する帯板状のグランドテール部７４と、前記グランド本体部７３とグランド接触部７２とを連結するグランド連結部７５とを備える。
【００４５】
前記グランド本体部７３は、図４（ｇ）に示されるように、前記中継基板３１の中央部３３及びケーブル受部３４の上面を覆う半円筒状の半円筒部７３ａと、該半円筒部７３ａの両側の下端から下方に延出し、中央部３３及びケーブル受部３４の側面を覆う側面部７３ｂと、該側面部７３ｂに形成された孔であって、前記中継基板３１の掛止用突起３６に掛止される掛止用孔７３ｃと、前記半円筒部７３ａの上面を切起こすことによって形成された切起こし片であって、端子ユニット５０が第１ハウジング１１における端子支持部材１７の上下両側の部分に挿入されると、第１ハウジング１１の掛止開口１１ａに掛止されることによって端子ユニット５０の抜止め部材として機能する掛止片７３ｄとを備える。
【００４６】
また、前記グランドテール部７４は、ケーブル９１の露出したシールド部材９４の周囲に巻付けられる巻付部７４ａと、該巻付部７４ａの上面に形成された開口であって、はんだ等の導電性固着剤を付与することによってグランドテール部７４とシールド部材９４とを物理的に固着するとともに、電気的に接続する接続用開口７４ｂとを有する。なお、前記巻付部７４ａは、図４（ｃ）に示されるように、シールド部材９４の周囲を１８０度以上３６０度未満の範囲で覆い、かつ、当接することが望ましい。
【００４７】
さらに、前記グランド接触部７２は、舌部３２の上面と平行な接触面部７２ａと舌部３２の側面と平行な側面部７２ｂとを備え、図４（ｅ）に示されるように、Ｌ字状の断面形状を備える。なお、前記側面部７２ｂは、舌部３２の側面を覆い、グランド連結部７５及びグランド本体部７３の一方の側面部７３ｂと同一平面を形成する。さらに、前記グランド接触部７２は、先端に形成され、前記先端部３７の凹部３７ｂに収容される先端部７２ｃを備える。
【００４８】
また、前記信号端子５１は、金属板に打抜き加工、曲げ加工等を施して一体的に成形された部材である。そして、前記半円筒状部５０ｂに位置し、ケーブル９１の露出した芯金９２と接触する信号テール部５３と、該信号テール部５３から前方に延出し、舌状部５０ｃに位置する帯板状の信号接触部５２と、前記信号テール部５３と信号接触部５２とを連結する信号連結部５５とを備える。
【００４９】
前記信号テール部５３は、長方形の平板状の部材であり、中継基板３１のテール収容凹部３３ａに収容される。そして、図４（ｇ）に示されるように、信号テール部５３の上面には芯金９２が接触する。望ましくは、はんだ等の導電性固着剤を付与することによって、信号テール部５３と芯金９２とを物理的に固着するとともに電気的に接続する。
【００５０】
また、前記信号接触部５２は、舌部３２の上面と平行な接触面部５２ａと舌部３２の側面と平行な側面部５２ｂとを備え、図４（ｅ）に示されるように、Ｌ字状の断面形状を備える。前記接触面部５２ａは、信号テール部５３と同様に、端子ユニット５０の軸方向に延在するが、上面から観て、信号テール部５３に対して端子ユニット５０の幅方向にオフセットされている。そのため、信号連結部５５は、端子ユニット５０の軸方向に対して斜めに延在する。なお、前記側面部５２ｂは、舌部３２の側面を覆う。さらに、前記信号接触部５２は、先端に形成され、前記先端部３７の凹部３７ｃに収容される先端部５２ｃを備える。
【００５１】
前記信号端子５１は、前述のように、樹脂によるオーバーモールド成形等の成形方法によって、図５（ｄ）に示されるように、中継基板３１と一体成形される。そして、図５（ｂ）に示されるように、シールド部材９４、内側被覆９３及び芯線９２が順次露出するケーブル９１の先端が中継基板３１に接続される。この場合、内側被覆９３は被覆収容凹部３４ａに収容され、芯線９２は、その一部が位置決め突起３５の溝部３５ａに嵌（はめ）込まれ、他の部分がテール収容凹部３３ａに収容された信号テール部５３の上に載置される。なお、ケーブル９１の中継基板３１に対する軸方向の位置決めは、内側被覆９３の前端を位置決め突起３５に当接させることによって行われる。そして、望ましくは、はんだ等の導電性固着剤を付与することによって信号テール部５３と芯金９２とを物理的に固着するとともに電気的に接続する。
【００５２】
続いて、図５（ｂ）に示されるように、ケーブル９１の先端が接続された中継基板３１の上方からグランド端子７１を取付ける。この場合、グランド本体部７３が、中継基板３１の中央部３３及びケーブル受部３４並びにケーブル９１の芯金９２及び内側被覆９３の上面を覆い、グランドテール部７４がケーブル９１のシールド部材９４の上面を覆い、グランド接触部７２の接触面部７２ａが中継基板３１のグランド接触部収容凹部３２ｂに収容されるように位置合せを行う。そして、中継基板３１の掛止用突起３６をグランド本体部７３の掛止用孔７３ｃに掛止させる。また、グランドテール部７４を変形させて、シールド部材９４の周囲を１８０度以上３６０度未満の範囲で覆うようにする。さらに、接続用開口７４ｂにはんだ等の導電性固着剤を付与することによって、グランドテール部７４とシールド部材９４とを物理的に固着するとともに電気的に接続する。これにより、ケーブル９１の先端が接続された端子ユニット５０を得ることができる。
【００５３】
該端子ユニット５０において、信号端子５１は、同軸ケーブルであるケーブル９１の芯線９２と接続され、高周波信号の伝送線路における信号ラインとして機能する。また、グランド端子７１は、ケーブル９１のシールド部材９４と接続され、ノイズを遮断するシールドとして機能するとともに、高周波信号の伝送線路における接地ラインとして機能する。そして、高周波信号を伝送する伝送線路の伝送モードは、伝送線路の構造、具体的には、信号ライン及び接地ラインの形状、寸法、配置関係等に応じて変化するので、信号ライン及び接地ラインの形状、寸法、配置関係等が急激に変化すると、前記「発明が解決しようとする課題」において説明したように、伝送線路の伝送モードが急激に変化し、周波数帯域によっては、反射、減衰、共振、放射等の損失が発生し、高周波信号の伝送特性が低下してしまう。
【００５４】
そこで、本実施の形態においては、端子ユニット５０において、信号ラインとして機能する信号端子５１及び接地ラインとして機能するグランド端子７１の形状、寸法、配置関係等を徐々に変化させるようにして、高周波信号の伝送線路である信号端子５１及びグランド端子７１の伝送モードを徐々に変化させるようになっている。より具体的には、細い円柱状の芯線９２の下端に接続された細長い帯状の信号テール部５３と、該信号テール部５３の上方を１８０度以上の範囲に亘（わた）って覆う半円筒部７３ａ及び側面部７３ｂとから成る信号ラインと接地ラインとの配置関係を、細長い帯状の信号連結部５５と、該信号連結部５５と垂直に延在する断面形状の細長い帯状のグランド連結部７５とから成る信号ラインと接地ラインとの配置関係に変化させ、さらに、互いに平行に延在する断面Ｌ字状の信号接触部５２とグランド接触部７２とから成る信号ラインと接地ラインとの配置関係に変化させることによって伝送される高周波信号の伝送モードを徐々に変化させるようになっている。
【００５５】
図４（ｆ）及び（ｇ）を比較すると、信号連結部５５及びグランド連結部７５の最も近接する部位での距離は、信号テール部５３及びグランド本体部７３の最も近接する部位での距離とほぼ等しいことが分かる。すなわち、信号テール部５３及びグランド本体部７３から信号連結部５５及びグランド連結部７５までの範囲においては、信号ラインと接地ラインとの間隔がほぼ一定である。
【００５６】
また、図４（ａ）から、グランド連結部７５及びグランド接触部７２の接触面部７２ａと信号連結部５５及び信号接触部５２の接触面部５２ａとの間隔は、グランド本体部７３より先端の部分において、すなわち、舌部３２のほぼ全範囲に亘ってほぼ一定であることが分かる。すなわち、舌部３２のほぼ全範囲においては、同一平面状に平行に形成された信号ラインと接地ラインとの間隔がほぼ一定である。
【００５７】
このように、端子ユニット５０においては、信号ラインと接地ラインとの間隔が一定に維持されているので、伝送線路の伝送モードが急激に変化せず、反射、減衰、共振、放射等の損失が発生することがなく、高周波信号の伝送特性が良好となる。したがって、前記端子ユニット５０を同軸ケーブルであるケーブル９１に接続することによって、中心に位置する信号ラインとそれを同心円上で囲繞（にょう）する接地ラインとの配置関係を、伝送モードを急激に変化させることなく、反射、減衰、共振、放射等の損失が発生することなく、高周波信号の伝送特性を良好に維持しつつ、同一平面状に平行に配列された信号ラインと接地ラインとの配置関係に変換させることができる。
【００５８】
また、ケーブル９１の外径と端子ユニット５０の円筒状部５０ａ及び半円筒状部５０ｂの外径とはほぼ等しく、さらに、舌状部５０ｃの幅も、前記外径にほぼ等しい。すなわち、図４（ａ）に示されるように、端子ユニット５０の幅は、ケーブル９１の外径にほぼ等しくなるように形成されている。そして、舌状部５０ｃにおける信号接触部５２及びグランド接触部７２も、前記幅内に収まるように配設されている。そのため、図３に示されるように、信号接触部５２及びグランド接触部７２と接触する一対の相手方端子１６１も、前記幅内に収まるように配設することができる。
【００５９】
さらに、図４（ｄ）に示されるように、端子ユニット５０の円筒状部５０ａ及び半円筒状部５０ｂの高さも、グランド本体部７３の掛止片７３ｄを除いて、ケーブル９１の外径にほぼ等しくなるように形成されている。また、舌状部５０ｃの厚さ、すなわち、舌部３２の上面における信号接触部５２の接触面部５２ａ及びグランド接触部７２の接触面部７２ａの高さは、ケーブル９１の中心以下の高さ、すなわち、ケーブル９１の半径以下の寸法である。そのため、図２に示されるように、信号接触部５２の接触面部５２ａ及びグランド接触部７２の接触面部７２ａに接触した状態での相手方端子１６１における接触腕部１６３の本体部１６２からの突出量は、端子ユニット５０の高さ内に収まるように設定することができる。
【００６０】
このように、各ケーブル９１に接続された端子ユニット５０の外寸は、ケーブル９１の断面方向に関して、掛止片７３ｄを除いて、ケーブル９１の外寸からはみ出すことがない。また、端子ユニット５０に対応する一対の相手方端子１６１の外寸も、ケーブル９１の断面方向に関して、基板１９１側の部分を除いて、ケーブル９１の外寸からはみ出すことがない。したがって、ケーブルコネクタ１及び基板コネクタ１０１の幅方向及び厚さ方向の寸法を増加させることなく多数本のケーブル９１を相手方の基板１９１に接続することができる。
【００６１】
このように、本実施の形態において、ケーブルコネクタ１は、ケーブル９１の芯線９２に接続される信号端子５１、及び、ケーブル９１のシールド部材９４に接続されるグランド端子７１を備え、高周波信号を伝送する端子ユニット５０と、端子ユニット５０を支持する端子支持部材１７を備え、基板コネクタ１０１の第２ハウジング１１１と嵌合する第１ハウジング１１とを有する。そして、端子ユニット５０は、円筒状部５０ａと、円筒状部５０ａの前方に配設された半円筒状部５０ｂと、半円筒状部５０ｂの前方に配設された舌状部５０ｃとを備え、信号端子５１は、半円筒状部５０ｂにおいて芯線９２に接続される信号テール部５３と、舌状部５０ｃにおいて基板コネクタ１０１の相手方端子１６１と接触する信号接触部５２とを備え、グランド端子７１は、円筒状部５０ａにおいてシールド部材９４に接続されるグランドテール部７４と、半円筒状部５０ｂにおいて信号テール部５３の上方を覆うグランド本体部７３と、舌状部５０ｃにおいて基板コネクタ１０１の相手方端子１６１と接触するグランド接触部７２とを備える。
【００６２】
これにより、端子ユニット５０の高周波信号の伝送線路における反射、減衰、共振、放射等の損失の発生を防止することができる。
【００６３】
また、信号テール部５３は平板状であり、信号接触部５２は相手方端子１６１と接触する平板状の接触面部５２ａを備え、グランド本体部７３は信号テール部５３の上方を覆う半円筒部７３ａを備え、グランド接触部７２は相手方端子１６１と接触する平板状の接触面部７２ａを備え、信号接触部５２の接触面部５２ａとグランド接触部７２の接触面部７２ａとは、面一であり、かつ、等間隔で互いに平行に端子ユニット５０の軸方向に延在する。これにより、中心に位置する信号ラインとそれを同心円上で囲繞する接地ラインとの配置関係を、伝送モードを急激に変化させることなく、反射、減衰、共振、放射等の損失が発生することなく、高周波信号の伝送特性を良好に維持しつつ、同一平面状に平行に配列された信号ラインと接地ラインとの配置関係に変換させることができる。
【００６４】
さらに、信号端子５１は信号テール部５３と信号接触部５２とを連結する信号連結部５５を備え、グランド端子７１はグランドテール部７４とグランド接触部７２とを連結するグランド連結部７５を備え、信号テール部５３とグランドテール部７４との距離は、信号連結部５５とグランド連結部７５との距離、及び、信号接触部５２とグランド接触部７２との距離と等しい。これにより、信号ラインと接地ラインとの間隔が一定に維持されているので、伝送線路の伝送モードが急激に変化せず、反射、減衰、共振、放射等の損失が発生することがなく、高周波信号の伝送特性が良好となる。
【００６５】
さらに、円筒状部５０ａ及び半円筒状部５０ｂの外径並びに舌状部５０ｃの幅は、ケーブル９１の外径にほぼ等しい。これにより、信号接触部５２及びグランド接触部７２と接触する一対の相手方端子１６１も、所定の幅内に収まるように配設することができるので、ケーブルコネクタ１及び基板コネクタ１０１の幅方向の寸法を増加させることなく多数本のケーブル９１を相手方の基板１９１に接続することができる。
【００６６】
さらに、舌状部５０ｃの厚さはケーブル９１の半径以下である。これにより、相手方端子１６１における接触腕部１６３の本体部１６２からの突出量を端子ユニット５０の高さ内に収まるように設定することができるので、ケーブルコネクタ１及び基板コネクタ１０１の厚さ方向の寸法を増加させることなく多数本のケーブル９１を相手方の基板１９１に接続することができる。
【００６７】
なお、本発明は前記実施の形態に限定されるものではなく、本発明の趣旨に基づいて種々変形させることが可能であり、それらを本発明の範囲から排除するものではない。
【図面の簡単な説明】
【００６８】
【図１】本発明の実施の形態におけるケーブルコネクタの嵌合前の状態を示す斜視図である。
【図２】本発明の実施の形態におけるケーブルコネクタを基板コネクタに嵌合した状態を示す断面図である。
【図３】本発明の実施の形態における端子ユニットと相手方端子との位置関係を示す斜視図である。
【図４】本発明の実施の形態における端子ユニットの構成を示す四面図及び断面図であり、（ａ）は上面図、（ｂ）は正面図、（ｃ）は背面図、（ｄ）は側面図、（ｅ）は（ａ）のＺ−Ｚ矢視断面図、（ｆ）は（ａ）のＹ−Ｙ矢視断面図、（ｇ）は（ａ）のＸ−Ｘ矢視断面図である。
【図５】本発明の実施の形態における端子ユニットの構成を示す斜視図及び分解図であり、（ａ）は斜視図、（ｂ）はグランド端子を取外した分解図、（ｃ）は中継基板の分解図、（ｄ）は中継基板の斜視図である。
【図６】従来の同軸多極コネクタのシールド端子を示す図である。
【符号の説明】
【００６９】
１    ケーブルコネクタ
１１    第１ハウジング
１１ａ    掛止開口
１２    天板部
１３    端子収容開口部
１４    側板部
１７    端子支持部材
３１    中継基板
３２    舌部
３２ａ    境界凸部
３２ｂ    グランド接触部収容凹部
３２ｃ    信号接触部収容凹部
３３    中央部
３３ａ    テール収容凹部
３３ｂ    ブリッジ
３４    ケーブル受部
３４ａ    被覆収容凹部
３５    位置決め突起
３５ａ    溝部
３６    掛止用突起
３７、５２ｃ、７２ｃ    先端部
３７ａ    傾斜面
３７ｂ、３７ｃ    凹部
５０    端子ユニット
５０ａ    円筒状部
５０ｂ    半円筒状部
５０ｃ    舌状部
５１    信号端子
５２    信号接触部
５２ａ、７２ａ    接触面部
５２ｂ、７２ｂ、７３ｂ    側面部
５３    信号テール部
５５    信号連結部
７１    グランド端子
７２    グランド接触部
７３    グランド本体部
７３ａ、８５３    半円筒部
７３ｃ    掛止用孔
７３ｄ    掛止片
７４    グランドテール部
７４ａ    巻付部
７４ｂ    接続用開口
７５    グランド連結部
９１    ケーブル
９２    芯線
９３    内側被覆
９４    シールド部材
９５    外側被覆
１０１    基板コネクタ
１１１    第２ハウジング
１１３    相手方開口部
１１４    端子収容溝
１６１    相手方端子
１６２    本体部
１６３    接触腕部
１６４    接触膨出部
１６５    接触脚部
１９１    基板
８５１    シールド端子
８５２    円筒部
８５４    グランド接続部
８５５    ピン接触部
８５６    シールド接触部
【図１】
2010092677.tif 000003
【図２】
2010092677.tif 000004
【図３】
2010092677.tif 000005
【図４】
2010092677.tif 000006
【図５】
2010092677.tif 000007
【図６】
2010092677.tif 000008